(57)【特許請求の範囲】
【請求項１】
ゴルフクラブのトップブレードを抑える実質的に角柱状をなす上ブロックと、  ゴルフクラブのソールを受ける実質的に角柱状をなす、上ブロックと上面が対向する下ブロックと、
ゴルフクラブの角度調整時にゴルフクラブのフェースを当接させる対向内面を有し、上ブロックの前記対向内面に接する両側面を上下方向に摺動自在に支持する対向側壁と、下ブロックを着脱可能に受ける底面と、前記対向側壁の上端を結合する頂壁とを有する枠体と、
上ブロックを下ブロック向かって押圧する上ブロック加圧手段と、
前記対向側壁の各下端が固定された基台と、からなり、
前記対向側壁には、上ブロックを上下方向に案内する案内長孔が設けられ、
上ブロックには、前記対向内面にフェースが当接したゴルフクラブの前記トップブレードを抑える一対の対角稜線部に帯状の切り殺ぎ面が、もう一対の対角稜線部に湾曲凹面状の切り殺ぎ面がそれぞれ形成され、
下ブロックには、その一対の対角稜線部に前記ソールが当接する切り殺ぎ面が形成され、
上ブロックは、前記案内長孔に通されるねじ軸を中心に傾斜し、かつ位置決めされるゴルフクラブの角度調整用保持具。
【請求項２】
請求項１記載のゴルフクラブの角度調整用保持具において、
前記対向側壁のそれぞれには、下ブロックを枠体に固定するねじを通す孔が形成され、前記上ブロック加圧手段は、前記頂壁に設けられた上ブロック押圧ボルトであるゴルフクラブの角度調整用保持具。
【発明の詳細な説明】
【０００１】
【発明に属する技術分野】
本発明は、ゴルフクラブのロフトやライ角を調整するためのクラブ保持具に関する。
【０００２】
【従来の技術】
ゴルフクラブ（以下、単に「クラブ」という）のロフトを調整するためのクラブ保持具としては、汎用の万力や万力に装着して使用される治具が知られている。
【０００３】
【発明が解決しようとする課題】
クラブには、右利き用と左利き用が存在するが、従来のクラブ保持具は、クラブのロフトを調整する場合、右利き用と左利き用との使い分けるに当たりその使い勝手に問題点があった。
【０００４】
【課題を解決するための手段】
請求項１の発明は、ゴルフクラブのトップブレードを抑える実質的に角柱状をなす上ブロックと、ゴルフクラブのソールを受ける実質的に角柱状をなす、上ブロックと上面が対向する下ブロックと、ゴルフクラブの角度調整時にゴルフクラブのフェースを当接させる対向内面を有し、上ブロックの前記対向内面に接する両側面を上下方向に摺動自在に支持する対向側壁と、下ブロックを着脱可能に受ける底面と、前記対向側壁の上端を結合する頂壁とを有する枠体と、上ブロックを下ブロック向かって押圧する上ブロック加圧手段と、前記対向側壁の各下端が固定された基台と、からなり、前記対向側壁には、上ブロックを上下方向に案内する案内長孔が設けられ、上ブロックには、前記対向内面にフェースが当接したゴルフクラブの前記トップブレードを抑える一対の対角稜線部に帯状の切り殺ぎ面が、もう一対の対角稜線部に湾曲凹面状の切り殺ぎ面がそれぞれ形成され、
下ブロックには、その一対の対角稜線部に前記ソールが当接する切り殺ぎ面が形成され、上ブロックは、前記案内長孔に通されるねじ軸を中心に傾斜し、かつ位置決めされるゴルフクラブの角度調整用保持具にある。
請求項２の発明は、請求項１記載のゴルフクラブの角度調整用保持具において、前記対向側壁のそれぞれには、下ブロックを枠体に固定するねじを通す孔が形成され、前記上ブロック加圧手段は、前記頂壁に設けられた上ブロック押圧ボルトであるゴルフクラブの角度調整用保持具にある。
【０００５】
【作用効果】
本発明によれば、クラブのロフトを調整する場合、上下ブロックを支持する枠体の中で各ブロックの向きを変えるだけで、右利き用と左利き用との使い分けが簡単にでき、かつクラブの保持も強固になされる。
【０００６】
【実施例】
図１、図５において、クラブの角度調整用保持具１０は、クラブヘッドＨのトップブレードＴＢを抑える上ブロック１１と、クラブのソールＳを受ける上ブロック１１の下面と上面が対向する下ブロック１２と、上下ブロック１１、１２を支持する枠体１４と、上ブロック１１を下方に押圧する上ブロック加圧ボルト１５とを有する。
【０００７】
枠体１４は、鉄などの比較的硬い材料で作るられており、上ブロック１１の両側面を上下方向に摺動自在に支持する対向内面１６、１７を有する平行対向側壁１８、１９と、下ブロック１２を着脱可能に受ける底面と、対向側壁１８、１９の上端を結合する頂壁２０と、対向側壁１８、１９の下端が固定された基台２１とからなる。対向側壁１８、１９間寸法は、上下ブロック１１、２２が大きくがた付かない程度に定められる。
対向側壁１８、１９のそれぞれには、上ブロック１１を上下方向に案内する長孔２２、２３と、下ブロック１２を枠体１４に固定するねじ２４を通す孔２５、２６が形成されている。
基台２１の４隅には、基台２１を丈夫な机に固定するための取り付け孔２８が設けられている。
上ブロック加圧ボルト１５は、上端に締め付け用の頭部１５ａを有し、頂壁２０に螺合している。
【０００８】
図６、図７において、上下各ブロックは、枠体１４およびクラブヘッドより低硬度の真鍮製で実質的に断面形状が正方形の角柱状をなしており、上ブロック１１は、その一つの対角稜線に沿う帯状の切り殺ぎ面１１ａと、他の一つの対角稜線に沿う円錐面の一部からなるクレセント状の切り殺ぎ面１１ｂを有し、下ブロック１２は、一つの対角稜線に沿う円錐面の一部からなるクレセント状の切り殺ぎ面１２ａを有する。
上ブロック１１には、上ブロック支持軸としてのねじ軸３１（第５図参照）が螺合するねじ孔３２が、水平方向に貫通して設けられている。ねじ軸３１の外端には、つまみ３１ａが固定されている。ねじ軸３１は長孔２２を貫通し上ブロック１１の長手方向の略中央部にねじ込まれている。
下ブロック１２には、ねじ２４の内端がねじ込まれるねじ孔３３が設けられており、下ブロック１２は、ねじ２４で枠体１４の底部に固定される。
【０００９】
図５において、つまみ３１ａでねじ３１を緩め、上ブロック１１を上方に持ち上げて、右利き用のクラブヘッドＨを対向側壁１８の内面１６に当てがった状態で上下ブロック１１、１２間に置く。上ブロック１１を下げて、その切り殺ぎ面１１ａをトップブレードＴＢに当てがい、つまみ３１ａでねじ３１を軽く締め付ける。クラブヘッドＨのソールＳは、下ブロック１２のクレセント状の切り殺ぎ面１２ａに当接する。
【００１０】
クラブヘッドＨを上下ブロック１１、１２で保持しておいて、上ブロック加圧ボルト１５の上端に固定された丈夫な頭部１５ａをメガネスパナなどの棒上工具の一端で掴んで上ブロック加圧ボルト１５を強く締め付けて、クラブヘッドＨを対向側壁１８の内面１６と下ブロック１１と上ブロック１２との三者で強固に締め付け固定する。上ブロック１１は、その切り殺ぎ面１１ａがトップブレードに沿うようにねじ３１を中心に傾斜する。
クラブヘッドのトップブレードは、一般的に、８番アイアン以下では上方に膨らんだラウンドを有し、７番アイアン以上のクラブのトップブレードは、ストレートである。したがって、７番アイアン以上のクラブを枠体１４に固定するときは、図５に示すように、そのトップブレードに切り殺ぎ面１１ａを当接し、８番アイアン以下のクラブヘッドを枠体１４に固定するときは、クレセント状の切り殺ぎ面１１ｂをトップブレードに当接させる。
【００１１】
クラブヘッドを枠体１４に強固に固定した状態で、そのソケット部ＳＫを棒上工具の一端に形成されたフォークで挾んでソケット部ＳＫを梃子の原理を応用してこじ曲げる通常の方法によりロフト及び／又はライ角の調整を行なう。
【００１２】
左利き用のクラブヘッドを枠体１４に固定するときは、図２に示すように、クラブヘッドのフェースを対向側壁１９の内面１７と、下ブロック１２のクレセント状の切り殺ぎ面１２ａと、上ブロック１１の切り殺ぎ面１１ａまたはクレセント状の切り殺ぎ面１１ｂとで強固に締め付け固定する。ロフト調整は、右利き用クラブのときの操作と同様に行なう。
【００１３】
右利き左利き用いずれのクラブヘッドが、上ブロック加圧ボルトの強固な締め付けにより枠体に固定される場合でも、上下ブロックの各切り殺ぎ面によって生じる分力により、上下ブロックが水平方向に押し動かされようとする。しかし、この上ブロック加圧ボルトの締め付けによって生じる上下ブロックの移動は、クラブヘッドのフェースが当接する対向側壁の内面と対向する内面で受けとめられる。
【図面の簡単な説明】
【図１】本発明の一実施例を示すクラブの角度調整用保持具の斜視図であって、右利き用のクラブを保持した態様を示す。
【図２】左利き用のクラブを保持した態様を示すクラブの角度調整用保持具の斜視図である。
【図３】図１の平面図である。
【図４】クラブの角度調整用保持具の側面図である。
【図５】図４のＶ−Ｖ断面図である。
【図６】上ブロックの斜視図である。
【図７】下ブロックの斜視図である。
【符号の説明】
１０            クラブの角度調整用保持具
１１            上ブロック
１１ａ          帯状の切り殺ぎ面
１１ｂ          クレセント状の切り殺ぎ面
１２            下ブロック盛
１２ａ          クレセント状の切り殺ぎ面
１３            長孔
１４            枠体
１５            上ブロック加圧ボルト
１６、１７      対向内面
１８、１９      対向側壁
２０            頂壁
【図１】
0004293396.tif 000002
【図２】
0004293396.tif 000003
【図３】
0004293396.tif 000004
【図４】
0004293396.tif 000005
【図５】
0004293396.tif 000006
【図６】
0004293396.tif 000007
【図７】
0004293396.tif 000008